(57)【要約】      （修正有）【課題】ユーザが容易に画像の読取り設定を行うことができ、また、原稿の画像読取りをいつでも行うことができるスキャナ装置を提供する。【解決手段】画像データの読取り条件の設定をスキャナ装置で行うことができるようにする。また、スキャナ装置が読み取った画像のデータを記憶するように、記憶部１５を設ける。また、制御部１７が、読取り部１２で読み取った所定の解像度の画像データを、読取り時よりも低い解像度の画像データに変換するように設定する。さらに、読取り部１２で読み取った画像や制御部１７で変換した画像を表示する表示部１４を設ける。これにより、ユーザは、パソコン２に接続することなく単独で、スキャナ装置１に原稿の画像を読み取らせることが可能になり、読み取らせた画像の確認や読み取った画像を再読取りすることなく解像度を変更することができ、ユーザの作業効率を向上させることができる。【選択図】図１
2004214776.tif 000002
【特許請求の範囲】
【請求項１】
原稿画像の読取り条件を設定する設定手段と、前記設定手段が設定した読取り条件で原稿画像を読み取る読取り手段と、前記読取り手段が読み取った読取り画像データを出力するデータ出力手段と、を備えたスキャナ装置において、
前記設定手段に設定する原稿画像の読取り条件を入力する操作手段と、
前記読取り手段が読み取った読取り画像データを記憶する記憶手段と、
前記記憶手段が記憶している読取り画像データの解像度を変換する画像変換手段と、
前記出力要求があった読取り画像を表示する表示手段と、
前記表示手段が画像を表示中に、前記操作手段から原稿画像の再読取り指示が入力されると、前記読取り手段に原稿の画像を読み取らせて、前記読取り手段に読み取らせたこの画像のデータと、前記記憶手段が記憶している前記表示手段で表示中の画像のデータと、を置き換える制御手段と、を備え、
前記操作手段から画像データの出力要求が入力されると、前記画像変換手段は前記記憶手段が記憶している該当の読取り画像データの解像度を変換し、前記データ出力手段は前記画像変換手段が変換した読取り画像データを出力することを特徴とするスキャナ装置。
【請求項２】
原稿画像の読取り条件を設定する設定手段と、前記設定手段が設定した読取り条件で原稿画像を読み取る読取り手段と、前記読取り手段が読み取った読取り画像データを出力するデータ出力手段と、を備えたスキャナ装置において、
前記設定手段に設定する原稿画像の読取り条件を入力する操作手段と、
前記読取り手段が読み取った読取り画像データを記憶する記憶手段と、を備え、
前記データ出力手段は、前記読取り画像データの出力要求があったときに、前記記憶手段が記憶している該当の読取り画像データを出力することを特徴とするスキャナ装置。
【請求項３】
原稿画像の読取り条件を設定する設定手段と、前記設定手段が設定した読取り条件で原稿画像を読み取る読取り手段と、前記読取り手段が読み取った読取り画像データを出力するデータ出力手段と、を備えたスキャナ装置において、
前記設定手段に設定する原稿画像の読取り条件を入力する操作手段と、
前記読取り手段が読み取った読取り画像データを記憶する記憶手段と、
前記記憶手段が記憶している読取り画像データの解像度を変換する画像変換手段と、を備え、
画像データの出力要求があったときに、前記画像変換手段は前記記憶手段が記憶している該当の読取り画像データの解像度を変換し、前記データ出力手段は前記画像変換手段が変換した読取り画像データを出力することを特徴とするスキャナ装置。
【請求項４】
前記出力要求があった読取り画像を表示する表示手段を備えた請求項２または３に記載のスキャナ装置。
【請求項５】
前記表示手段が画像を表示中に、前記操作手段から原稿画像の再読取り指示が入力されると、前記読取り手段に原稿の画像を読み取らせて、前記読取り手段に読み取らせたこの画像のデータと、前記記憶手段が記憶している前記表示手段で表示中の画像のデータと、を置き換える制御手段を備えた請求項４に記載のスキャナ装置。
【請求項６】
前記データ出力手段は、前記操作手段から画像データの出力要求が入力されると、該当の画像データを出力する請求項２乃至５のいずれかに記載のスキャナ装置。
【発明の詳細な説明】
【０００１】
【発明の属する技術分野】
本発明は、原稿の画像を読み取って、パソコンやファイルサーバなどへ画像データを出力するスキャナ装置に関する。
【０００２】
【従来の技術】
スキャナ装置は、書類、写真、雑誌のようなシートや本など（以下、原稿と称する。）に記録された画像を読み取って、パーソナルコンピュータ（以下、パソコンと称する。）などの情報端末や、ファイルサーバなどのデータ保存装置へ画像データを出力する機器である。スキャナ装置は、パソコンやファイルサーバとケーブルを介してデータをやりとりするために、ＳＣＳＩ、ＵＳＢなどのインタフェースや、ＬＡＮボードを備えており、これらのインタフェースを介して画像データを他の装置へ出力する。
【０００３】
スキャナ装置を個人で使用する場合、ユーザは通常、スキャナ装置をパソコンに直接接続して、パソコンの近傍に設置することが多い。一方、スキャナ装置をオフィスなど複数のユーザで共用する場合、ユーザは通常、スキャナ装置をＬＡＮに接続して、各パソコンから離れた共有スペースに設置することが多い。
【０００４】
ユーザは、従来のスキャナ装置に原稿の画像を読み取らせる場合、以下のような操作を行っていた。すなわち、パソコン及びスキャナ装置を起動して、スキャナ装置で、読み取る画像の読取り条件を設定する。ユーザは、画像の読取り条件として、例えば、読取りモード（カラー、グレー、白黒）、解像度、濃度、原稿サイズ、画像の読取り領域、画像の読取り倍率、読み取った画像を保存するファイル形式、読み取った画像の保存場所など様々な項目を設定することが可能である。また、これらの項目を自動的に設定させることも可能である。
【０００５】
ユーザは読取り条件の設定が完了すると、画像を読み取らせる原稿をスキャナ装置の原稿台やシートフィーダにセットする。続いて、ユーザは、パソコンを操作してスキャナ装置に画像の読取りを開始させるか、または、スキャナ装置の読取り開始ボタンを操作して画像の読取りを開始させる。スキャナ装置は、読み取った画像をパソコンへ出力し、パソコンはこの画像をモニタに表示させるとともに、予め設定された保存場所（例えば、ハードディスク）に画像データを保存する。
【０００６】
また、スキャナ装置がＬＡＮなどのネットワークに接続されている場合、スキャナ装置は、読み取った画像のデータをファイルサーバやパソコンへ出力する。ファイルサーバやパソコンは、画像データを受信すると、予め設定されたデータの保存場所（例えば、ハードディスク）に保存する。ユーザは、保存されたファイルをファイルサーバなどから読み出すことで、画像の内容を確認できる。
【０００７】
このように、ユーザは、従来のスキャナ装置に画像を読み取らせるためには、スキャナ装置を接続したパソコンで画像の読取り条件など各種の設定を行わなければならなかった。また、ユーザは、スキャナ装置が読取り開始ボタンを備えた構成であっても、読取り開始指示以外の各種操作をパソコン側で行わなければならず、処理が煩雑であるという問題があった。
【０００８】
また、ユーザは、ＬＡＮに接続されたスキャナ装置を使用する場合、パソコンで画像の読取り条件を設定したり、スキャナ装置に原稿をセットしたりするために、２つの装置間を行き来しなければならなかった。また、画像の読取りが失敗であった場合、ユーザは、再度同様の操作を行わなければならず、非常に時間や手間がかかるという問題があった。
【０００９】
このような問題に対して、従来、原稿読取りの開始を予約するためのキー、原稿読取り時の濃度を指定するキー、及び原稿読取り時の解像度を指定するためのキーを備えた画像読取装置を含む構成の画像読取システム及び情報処理端末の制御方法がある（例えば、特許文献１参照。）。
【００１０】
【特許文献１】
特開平１０−１５０５２０号公報（第３−５頁、第３図）。
【００１１】
【発明が解決しようとする課題】
しかしながら、上記従来の画像読取装置においてユーザが設定できるのは、前記のように、（１）原稿読取りの開始の予約、（２）原稿読取り時の濃度の指定、（３）原稿読取り時の解像度の指定、の３つだけであった。そのため、例えば解像度の詳細な設定や他の設定を行う際には、従来のスキャナ装置と同様にパソコンから設定を行わなければならなかった。
【００１２】
また、従来のスキャナ装置は、パソコンやＬＡＮに接続しなければ使用できないため、使用条件を制限されるという問題があった。例えば、スキャナ装置を接続するパソコンに設けられた外部機器接続用のポート数が少ない場合、パソコンに接続して使用する機器数が制限されてしまう場合などである。具体的には、パソコンがＵＳＢポート数を２つ備えており、ＵＳＢインタフェースの機器をスキャナ装置以外にも、複数（例えば、キーボード、マウス、プリンタ、モデムなど）使用すると、ＵＳＢのハブを使用してもポート数が足らないことがある。そのため、スキャナ装置で画像の読取りを行う時には、他の装置の使用を中止しなければならず、また、他の装置を使用する時にはスキャナ装置の使用を控えなければならない。このように、ユーザは、スキャナ装置をいつでも使用できないことがあるという問題があった。
【００１３】
そこで、本発明は、上記の問題を解決するために、ユーザが容易に画像の読取り設定を行うことができ、また、原稿の画像読取りをいつでも行うことができるスキャナ装置を提供することを目的とする。
【００１４】
【課題を解決するための手段】
この発明は、上記の課題を解決するための手段として、以下の構成を備えている。
【００１５】
（１）原稿画像の読取り条件を設定する設定手段と、前記設定手段が設定した読取り条件で原稿画像を読み取る読取り手段と、前記読取り手段が読み取った読取り画像データを出力するデータ出力手段と、を備えたスキャナ装置において、
前記設定手段に設定する原稿画像の読取り条件を入力する操作手段と、
前記読取り手段が読み取った読取り画像データを記憶する記憶手段と、を備え、
前記データ出力手段は、前記読取り画像データの出力要求があったときに、前記記憶手段が記憶している該当の読取り画像データを出力することを特徴とする。
【００１６】
この構成においては、ユーザは、読取りモード（カラー、グレー、白黒）、解像度、濃度、原稿サイズ、画像の読取り領域、画像の読取り倍率、読み取った画像を保存するファイル形式、読み取った画像の情報端末またはファイル保存装置における保存場所など、画像データの読取り条件の設定をスキャナ装置の操作手段を操作して設定することができる。そのため、従来のように情報端末で読取り条件の設定を行ったり、スキャナ装置で原稿の取替えを行ったりするために、２つの装置間を行き来しなくても良くなり、操作を簡略化できる。また、ユーザは、出力要求の操作をスキャナ装置の操作手段や、パソコンなどの情報端末から行うことで、スキャナ装置に読み取らせた画像データを出力させることができる。したがって、ユーザは、スキャナ装置から、画像データをまとめて出力させることも、個別に出力させることもでき、ユーザの作業効率を向上させることができる。
【００１７】
（２）原稿画像の読取り条件を設定する設定手段と、前記設定手段が設定した読取り条件で原稿画像を読み取る読取り手段と、前記読取り手段が読み取った読取り画像データを出力するデータ出力手段と、を備えたスキャナ装置において、
前記設定手段に設定する原稿画像の読取り条件を入力する操作手段と、
前記読取り手段が読み取った読取り画像データを記憶する記憶手段と、
前記記憶手段が記憶している読取り画像データの解像度を変換する画像変換手段と、を備え、
画像データの出力要求があったときに、前記画像変換手段は前記記憶手段が記憶している該当の読取り画像データの解像度を変換し、前記データ出力手段は前記画像変換手段が変換した読取り画像データを出力することを特徴とする。
【００１８】
この構成においては、スキャナ装置で画像データの解像度を変更できるので、画像の内容やファイルサイズを確認した結果、問題がある場合でも、原稿の画像を再度読み込むことなく画像の解像度を変更して出力させることができ、操作を簡略化できる。
【００１９】
（３）前記出力要求があった読取り画像を表示する表示手段を備えたことを特徴とする。
【００２０】
この構成においては、スキャナ装置に対して出力要求があった読取り画像を表示手段で表示させることができるので、従来のように読み取った画像を情報端末のモニタで確認しなくても良くなる。したがって、ユーザは、スキャナ装置が情報端末から離れた場所に設置されている場合でも、情報端末とスキャナ装置との間を行き来しなくても良くなり、原稿の画像の読取り作業を効率的に行うことができる。
【００２１】
（４）前記表示手段が画像を表示中に、前記操作手段から原稿画像の再読取り指示が入力されると、前記読取り手段に原稿の画像を読み取らせて、前記読取り手段に読み取らせたこの画像のデータと、前記記憶手段が記憶している前記表示手段で表示中の画像のデータと、を置き換える制御手段を備えたことを特徴とする。
【００２２】
この構成においては、表示中の画像のデータを、新たに読み取った画像のデータに置き換えるので、元の画像データファイルを消去したり、新しい画像データファイルの名前を元の画像データファイルの名前に変更したりする処理を省略でき、作業を簡略化できる。
【００２３】
（５）前記データ出力手段は、前記操作手段から画像データの出力要求が入力されると、該当の画像データを出力することを特徴とする。
【００２４】
この構成においては、スキャナ装置をパソコンなどに接続せずに、原稿画像の読取りを行う場合には、読み取った画像データが自動的に出力される設定であると、出力データが喪失するだけで画像データをパソコンなどに送ることができない。しかし、本発明のスキャナ装置では、設定手段から画像データの出力要求を入力することで、記憶手段が記憶する画像データを出力させることができるので、前記のように、スキャナ装置単独で原稿画像の読取りを行い、スキャナ装置をパソコンなどに接続してデータを出力できるようにしてから、画像データをこれらの装置へ転送することができる。したがって、ユーザは使用したい時にスキャナ装置をすぐに使用することが可能となるので、ユーザの作業効率を向上させることができる。
【００２５】
【発明の実施の形態】
以下に本発明の実施形態に係るスキャナ装置について、図を参照しながら説明する。図１は、本発明の実施形態に係るスキャナ装置を１台のパソコンに接続した場合のブロック図である。図２は、本発明の実施形態に係るスキャナ装置をＬＡＮに接続した場合のブロック図である。なお、図２において複数のパソコン２は、すべて同様の構成であるため、１台のみ構成を表示している。
【００２６】
図１に示すように、１台のパソコン２でスキャナ装置１を使用する場合、スキャナ装置１とパソコン２との間をケーブル３で接続する。また、図２に示すように、スキャナ装置１を複数のパソコン２で共用する場合、ＬＡＮ１０にスキャナ装置１を接続する。なお、ＬＡＮ１０には、パソコン２の他に、共有データを保管するためにファイルサーバ４が接続され、また、印刷物を出力するためにプリンタ９が接続されている。
【００２７】
図１，２に示したように、スキャナ装置１は、原稿送り部１１、読取り手段である読取り部１２、設定手段である操作部１３、表示手段である表示部１４、記憶手段である記憶部１５、データ出力手段である通信部１６、並びに画像変換手段及び制御手段である制御部１７を備えている。
【００２８】
原稿送り部１１は、後述するシートフィーダ２１にセットされた原稿を後述する原稿台２２へ搬送する。読取り部１２は、原稿台２２に載置された原稿やシートフィーダ２１で搬送された原稿の画像を読み取る。操作部１３は、原稿の画像読取り時の条件設定や読取り開始指示などの操作や入力を行うためのものである。表示部１４は、操作部１２で設定する読取り条件などの設定情報を表示する。また、読取り部１２で読み取った画像や、記憶部１５に記憶させた画像データを表示する。記憶部１５は、読取り部１１で読み取った画像のデータを記憶する。通信部１６は、読取り部１２が読み取った画像データや、記憶部１５が記憶する画像データを外部へ出力する。制御部１７は、スキャナ装置１の各部を制御する。
【００２９】
パソコン２は、通信部３１、操作部３２、記憶部３３、表示部３４、及び制御部３５を備えている。通信部３１は、スキャナ装置１やＬＡＮ１０に接続された他の装置と通信を行う。操作部３２は、文字やデータの入力や各種の操作などを行うためのものである。記憶部３３は、スキャナ装置１から送信された画像データや他のデータを記憶する。表示部３４は、記憶部３３が記憶する画像データや他のデータを表示する。制御部３５は、上記の各部を制御する。
【００３０】
図２に示すファイルサーバ４は、通信部４１、記憶部４２、及び制御部４３を備えている。通信部４１は、ＬＡＮ１０に接続されたスキャナ装置１や他の装置と通信を行うためのものである。記憶部４２は、通信部４１を介して送られてきた画像データや他のデータを記憶する。制御部４３は、上記の各部を制御する。
【００３１】
図３は、本発明の実施形態に係るスキャナ装置の概観図である。図３（Ａ）に示すように、スキャナ装置１では、読取り部１２を覆うカバー２３は、上側の端部近傍にシートフィーダ２１を備えている。ユーザは、シートフィーダ２１に複数の原稿をセットすることで、複数の原稿の画像を読取り部１２に連続して読み取らせることができる。また、ユーザは、原稿台２２に原稿を載置して、カバー２３を閉じることで、この原稿の画像を読取り部１２に読み取らせることができる。
【００３２】
スキャナ装置１は、操作部１３と表示部１４とが一体化した表示ユニット２４を備えている。表示ユニット２４は、液晶ディスプレイ２５の上面にタッチパネル２６が設けられた構成である。また、表示ユニット２４は、図３（Ｂ）に示すように、使用しない時には、スキャナ装置１の本体部２７に収納できる構造である。なお、表示ユニット２４の操作部１３は、タッチパネル２６に代えてペンタブレットなどの入力装置を用いた構成にしても良い。
【００３３】
図４は、表示ユニット２４の表示例を示した図である。本発明のスキャナ装置１では、表示ユニット２４の液晶ディスプレイ２５に画像の読取り条件などを設定するための画像が表示される。ユーザは、タッチパネル２６を操作することで、これらの設定を行うことができる。ユーザは、画像の読取り条件として、例えば、読取りモード（カラー、グレー、白黒）解像度、濃度、原稿サイズ、画像の読取り領域、画像の読取り倍率、読み取った画像を保存するファイル形式、読み取った画像の保存場所などを設定することができる。
【００３４】
具体的には、図４（Ａ）に示すように、表示ユニット２４の液晶ディスプレイ２５には、カラー，グレー，白黒などの読取りモード、Ａ４，Ｂ５，Ａ５，レター，リーガルなどの原稿サイズ名、ｊｐｅｇ，ｂｍｐ，ｔｉｆｆ，ｇｉｆｆなどの保存ファイル形式名が表示されるので、ユーザはタッチパネル２６を操作して（タッチパネル２６に触れて）所望のモードやサイズを選択・設定できる。また、表示ユニット２４の液晶ディスプレイ２５には、読取りを行う画像の解像度、濃度、画像の読取り倍率などの値を変更するための変更ボタン５１〜５３が表示されるので、ユーザは変更ボタン５１〜５３を操作することで、所望の値を選択・設定できる。
【００３５】
また、読取り部１２で読み取った画像データの保存場所を設定する場合、制御部１７は、ファイル保存先であるパソコン２やファイルサーバ４のフォルダ構造の情報を取得する。そして、制御部１７は、図４（Ｂ）に示すように、取得したフォルダ構造を表示部１４に表示させるので、ユーザはタッチパネル２６を操作することで、容易に画像データの保存先を選択・設定することができる。また、画像データの保存先として、任意のフォルダをパソコン２の記憶部３３やファイルサーバ４の記憶部４２へ作成するように設定することもできる。例えばファイルを保存する日付を名前とするフォルダを、記憶部３３や記憶部４２に作成するように設定することができる。
【００３６】
このように、本発明のスキャナ装置１では、表示ユニット２４を使用して、スキャナ装置側で画像の読取り条件など各種の設定を行うことができ、従来のスキャナ装置のように、画像データを出力するパソコン側で画像の読取り条件や画像データの保存先などの設定を行う必要がない。
【００３７】
次に、本発明のスキャナ装置１では、読取り部１２が読み取った画像のデータを、前記のようにタッチパネル２６を操作して設定したファイル形式で記憶部１５に記憶させることができる。すなわち、読取り部１２は、読み取った原稿の画像データを、画像変換手段である制御部１７へ出力する。制御部１７は、タッチパネル２６を用いて設定されたファイル形式に画像データを変換して、変換した画像データを記憶部１５に記憶させる。このように、スキャナ装置１では、読取り部１２が読み取った画像のデータを記憶部１５に記憶させることができるので、スキャナ装置１をパソコンやＬＡＮに接続しなくても画像の読取りを実行させることができる。したがって、ユーザはいつでもスキャナ装置１を使用して原稿の画像読取りを行うことができる。
【００３８】
ここで、スキャナ装置１に読み取らせた画像データを、通信部１６からパソコン２やファイルサーバ４へ出力する際には、以下の手順で処理を行うと良い。すなわち、スキャナ装置１をパソコン２やＬＡＮ１０に接続する。そして、表示ユニット２４のタッチパネル２６を操作して記憶部１５が記憶する画像データの出力指示を行う。画像データの出力指示は、複数の画像データをまとめて出力する内容であっても、個別に画像データを出力する内容であっても良い。制御部１７は、この操作を検出すると、記憶部１５が記憶する所定のファイル形式である画像データ（ファイル）を、出力要求の内容に応じてパソコン２やファイルサーバ４へ出力する。したがって、ユーザは、短時間で画像データの転送完了させることができる。
【００３９】
また、スキャナ装置１は、パソコン２と接続された状態において、パソコン２からスキャナ装置１に対して出力された画像データの出力要求を受信すると、記憶部１５に記憶させた画像データをパソコン２へ送信する。すなわち、ユーザは、パソコン２で画像データを保存するフォルダの設定などを行った後に、パソコン２を操作して画像データをスキャナ装置１から転送させることができる。
【００４０】
したがって、ユーザは、スキャナ装置１をパソコン２に接続した状態でも、パソコン２に接続しない状態でも、原稿の画像を読み取らせることができ、状況に応じた操作を行うことができる。
【００４１】
さらに、本発明のスキャナ装置１では、図４（Ｃ）に示すように、読取り部１２で読み取った画像や記憶部１５に記憶させた画像データを、表示ユニット２４の液晶ディスプレイ２５に表示させることができる。例えば、ユーザは、読取り部１２で原稿の画像を読み取らせる毎に、読み取らせた画像を表示ユニット２４の液晶ディスプレイ２５に表示させることができる。また、ユーザは、シートフィーダ１１に複数の原稿を連続して搬送させて読取り部１２で原稿の画像を読み取らせ、読取りが完了してから、表示ユニット２４の液晶ディスプレイ２５に、読取りを完了した原稿の画像を表示させることもできる。この場合、ユーザは、液晶ディスプレイ２５に表示された画像切替えボタン５４，５５の部分に触れることで、液晶ディスプレイ２５に表示させる画像を切り替えながら、読み取った画像を確認することができる。
【００４２】
次に、ユーザは、スキャナ装置１に任意の解像度で読み取らせた画像を記憶部１２に記憶させるととともに、読み取らせた解像度よりも低い解像度の画像データに変換するように設定することができる。例えば、ユーザは、表示ユニット２４を操作して、解像度変換モードを選択し、画像の読取り解像度を６００ｄｐｉに設定し、出力する画像の解像度を３００ｄｐｉに設定する。そして、タッチパネル２６からスキャナ装置１に画像を読み取らせる入力の操作を行う。制御部１７は、この操作を検出すると、読取り部１２に６００ｄｐｉで画像を読み取らせて、記憶部１５に６００ｄｐｉのままで画像のデータを記憶させる。また、制御部１７は、６００ｄｐｉの画像を３００ｄｐｉの画像に変換して、記憶部１５に記憶させるとともに、表示ユニット２４の液晶ディスプレイ２５に画像と画像データの容量を表示させる。ユーザは、この画像や画像データの容量を確認して、問題なければタッチパネル２６を操作して、３００ｄｐｉの画像をパソコン２やファイルサーバ４へ出力させる指示を行う。
【００４３】
一方、ユーザは、さらに低解像度（例えば１００ｄｐｉ）の画像でも良い場合や、さらに高解像度（例えば４００ｄｐｉ）の画像の方が良い場合には、表示ユニット２４のタッチパネル２６を操作して解像度を変更する。制御部１７は、解像度が変更されたことを検出すると、記憶部１５から６００ｄｐｉの画像を読み出して、指定された解像度に画像データを変換し、記憶部１５に記憶させるとともに表示ユニット２４の液晶ディスプレイ２５にこの画像を表示させる。ユーザは、表示ユニット２４に表示された画像で問題なければ、その画像を出力用の画像に決定する操作を行う。制御部１７はこの操作を検出すると、この画像における他の解像度のデータを消去して、出力用の画像データのみを記憶部１５に保存する。そして、ユーザがタッチパネル２６を操作して画像データの出力指示を行ったことを検出すると、制御部１７は記憶部１５が記憶する画像データをパソコン２やファイルサーバ４へ出力する。
【００４４】
このように、ユーザはスキャナ装置１に、原稿の画像を何度も読み取らせることなく、読取り時の解像度と異なる解像度の画像データを出力させることができるので、画像解像度を調整しなければならない場合などに非常に有効である。
【００４５】
次に、本発明のスキャナ装置１では、表示ユニット２４で画像データの確認中に、読取り不良などの理由で画像の読取りを再度行って画像データを変更したい場合には、再読取りモードを選択して、再度同じ原稿の画像を読み取らせると、元の画像データを表示ユニット２４に表示させていた画像データに置き換えることができる。
【００４６】
従来のスキャナ装置では、複数の画像の読取りを行った場合、各画像データには連番の名前が付与され、各画像データがパソコンに格納（記憶）される。また、従来のスキャナ装置では、読取り不良の画像データがあった場合、その原稿の読取りを再度行うと、別の新ファイルとしてパソコンの記憶部に格納されていた。さらに、読取り不良の画像データは自動的には消去されなかった。そのため、読取りを失敗した画像データを消去するとともに、新ファイルとして保存された画像データのファイル名を、消去したファイル名に変更する必要があった。しかし、本発明のスキャナ装置１では、このような問題を解消することができ、ユーザの作業効率を向上させることができる。
【００４７】
なお、ユーザは、スキャナ装置１とパソコン２とを、ケーブル３を介して接続している場合、スキャナ装置１のタッチパネル２６から所定の入力を行うことで、パソコン２にインストールされた画像用のアプリケーションソフトを起動することができる。この場合、制御部１７は、通信部１６からパソコン２へ、アプリケーション起動信号を出力する。パソコン２の制御部３５は、この信号を検出すると、画像用のアプリケーションを起動させる。
【００４８】
また、ユーザは、スキャナ装置１の記憶部１５に画像データを記憶させずに、直接パソコン２やファイルサーバ４へ画像データを出力するように設定することもできる。
【００４９】
【発明の効果】
以上のように本発明によれば、パソコンで読取り条件の設定を行ったり、スキャナ装置で原稿の取替えを行ったりするために、２つの装置間を行き来しなくても良くなる。また、パソコンに接続することなくスキャナ装置だけで画像を読み取らせることができ、また、スキャナ装置に読み取らせた画像をまとめて情報端末へ出力することもできる。これにより、ユーザが行う処理手順を簡略化でき、作業効率を向上させることができる。
【図面の簡単な説明】
【図１】本発明の実施形態に係るスキャナ装置をスタンドアロンのパソコンに接続した場合のブロック図である。
【図２】本発明の実施形態に係るスキャナ装置をＬＡＮに接続した場合のブロック図である。
【図３】本発明の実施形態に係るスキャナ装置の概観図である。
【図４】表示ユニット２４の表示例を示した図である。
【符号の説明】
１−スキャナ装置
２，５〜８−パソコン
４−ファイルサーバ
１１−原稿送り部
１２−読取り部
１３−操作部
１４−表示部
１５−記憶部
１６−通信部
１７−制御部
【図１】
2004214776.tif 000003
【図２】
2004214776.tif 000004
【図３】
2004214776.tif 000005
【図４】
2004214776.tif 000006